(57)【要約】【課題】  樹脂製の束であっても、十分な強度を有する傾斜対応束を提供する。【解決手段】  樹脂製の上面基台１と、該上面基台１と上端側が組み合う樹脂製の支柱２と、該支柱２の下端側と組み合う樹脂製の下面基台３とを有し、前記支柱２の下端側に球状端部２２が形成され、前記下面基台３に、前記支柱２の球状端部２２と組み合う凹部収納体３１とフランジ３２が形成されると共に、前記球状端部２２を組み合わせた際に凹部が広がるスリット３３を凹部収納体３１及びフランジ３２に連続して形成し、前記凹部収納体の凹部の上端側の直径を、球状端部の球の部分の直径より小さくすることで、凹部収納体３１への球状端部２２の組み合わせ及び固定が容易にできるようにした。【選択図】図２
2017218763.tif 000002
【特許請求の範囲】
【請求項１】
樹脂製の上面基台と、該上面基台と上端側が組み合う樹脂製の支柱と、該支柱の下端側と組み合う樹脂製の下面基台とを有し、
前記支柱の下端側に、球状端部が形成され、
前記下面基台に、前記支柱の球状端部と組み合う凹部収納体とフランジが形成されると共に、前記球状端部を組み合わせた際に凹部が広がるスリットを、凹部収納体及びフランジに連続して形成したことを特徴とする、傾斜対応束。
【請求項２】
前記凹部収納体の凹部の上端側の直径は、球状端部の球の部分の直径より小さいことを特徴とする、前記請求項１に記載の傾斜対応束。
【請求項３】
前記下面基台の凹部収納体の中央部に、貫通する小孔を有し、前記スリットが該小孔まで続いて形成されていることを特徴とする、前記請求項１または２に記載の傾斜対応束。
【発明の詳細な説明】
【技術分野】
【０００１】
本発明は傾斜対応束に関し、特に傾斜地にウッドデッキを施工する際の使用に適した傾斜対応束に関する。
【背景技術】
【０００２】
傾斜地に対応した束として、特許文献１に記載のものが存在する。
該特許文献１に記載の束は、所定の厚みで球面状に突出する凸部を有し、該凸部の中心にて内外を貫通する通孔が形成される基台と、大引や根太といった横架材を載置するための載置部が上方に設けられ、下方が通孔に遊挿される支柱とを備える束であって、支柱は、基台の凸部の外面が内接する第１の座金と、該凸部の内面に内接する第２の座金と、該凸部を第１の座金と第２の座金とで挟持することにより、支柱を基台に締め付け固定するための締結手段とを備えたものである。
【発明の概要】
【発明が解決しようとする課題】
【０００３】
上記特許文献１に記載の鋼製束は、凸部を第１の座金の縁の周辺部分と第２の座金とで挟持することで固定する構造である。
そのため、鋼製の代わりに、例えば、金属より強度が劣るプラスチック等の樹脂で製作した場合には、荷重を受けるには、接触部分である周辺部分の強度が十分でない可能性がある。
従って、本発明の課題は、樹脂製の束であっても、十分な強度を有する傾斜対応束を提供することにある。
【課題を解決するための手段】
【０００４】
本発明の課題を解決するための手段は、下記のとおりである。
【０００５】
第1に、
樹脂製の上面基台と、該上面基台と上端側が組み合う樹脂製の支柱と、該支柱の下端側と組み合う樹脂製の下面基台とを有し、前記支柱の下端側に、球状端部が形成され、前記下面基台に、前記支柱の球状端部と組み合う凹部収納体とフランジが形成されると共に、前記球状端部を組み合わせた際に凹部が広がるスリットを、凹部収納体及びフランジに連続して形成したことを特徴とする、傾斜対応束。
第２に、
前記凹部収納体の凹部の上端側の直径は、球状端部の球の部分の直径より小さいことを特徴とする、前記第１に記載の傾斜対応束。
第３に、
前記下面基台の凹部収納体の中央部に、貫通する小孔を有し、前記スリットが該小孔まで続いて形成されていることを特徴とする、前記第１または第２に記載の傾斜対応束。
第４に、
前記下面基台のスリット形成箇所を挟むように、該スリットを閉じるための二つの係止片を凹部収納体の外面に形成したことを特徴とする、前記第１〜第３のいずれか一つに記載の傾斜対応束。
第５に、
前記係止片に、締め付け用のネジが貫通するネジ孔が形成されていることを特徴とする、前記第４に記載の傾斜対応束。
【発明の効果】
【０００６】
本発明によれば以下の効果を奏することができる
【０００７】
本発明の傾斜対応束は、下面基台の凹部収納体の凹部と、支柱の球状端部とが組み合うことで凹部のほぼ全面で荷重を受けるので、樹脂製であっても十分な強度を有する。
【０００８】
また、施工に際し、凹状収納体の凹部に支柱の球状端部を嵌め込む工程は、スリットが形成されているので、容易に行うことができる。
【０００９】
さらに、前記下面基台の凹部収納体の中央部に、貫通する小孔を設けることで、球状端部の最下端部分と開孔部の周縁とが接触するので、荷重をより効率的に受けることが可能となり、加えて、施工の際に設置目印の直接目視が可能となる。
【図面の簡単な説明】
【００１０】
【図１】本発明の傾斜対応束の使用状態の説明図であり、(ａ)は平地、（ｂ）は傾斜地に設置した状態を示す図である。
【図２】本発明の傾斜対応束の各構成部品の斜視図である。
【図３】本発明の傾斜対応束の上面基台の説明図であり、（ａ）は平面図、（ｂ）は側面図である。
【図４】本発明の傾斜対応束の支柱の説明図である。
【図５】本発明の傾斜対応束の下面基台の説明図であり、（ａ）は平面図、（ｂ）は側面図、（ｃ）は縦断面図である。
【図６】本発明の傾斜対応束のリングの説明図であり、（ａ）は平面図、（ｂ）は側面図である。
【発明を実施するための形態】
【００１１】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、本発明は該当形態に限定されるものではない。
【００１２】
本実施形態に係る傾斜対応束は、ウッドデッキを施工する際の使用に適し、図１中、(ａ)に示すように平地でも使用可能なものであるが、(ｂ)に示すように特に傾斜地での使用に適したものである。
【００１３】
該本実施形態の傾斜対応束は、図２に示すように、ポリプレピレン樹脂製の上面基台１と、該上面基台１と上端側が組み合うポリプレピレン樹脂製の支柱２と、該支柱２の下端側と組み合うポリプレピレン樹脂製の下面基台３と、支柱２に組み合わせるポリプレピレン樹脂製のリング４とを有している。
【００１４】
前記上面基台１は、床板を支持する根太材の底面側に例えばネジ止め等によって取り付けるものであり、図２及び図３に示すように、中央が開孔したドーナツ状の円形板１１の中央部に、支柱２の上端側をねじ込み可能なネジ溝が内面側に形成された小円筒１２を一体で形成したものである。
図２及び図３中、１１ａは円形板１１の４箇所に設けられたネジ孔、１３は小円筒１２の外周に同間隔で６箇所に設けられた縦リブを示している。
なお、該上面基台１は、底面側からのネジ止め以外にも、根太材の上面側から底面側に貫通する取付孔に組み合わせる長ネジによって、取り付けることもできる。
また、図示は省略するが、円形板１１の直径を１００ミリメートルとした場合に、外径が５１ミリメートルである小円筒１２の形成側と反対側である上面基台１の上面側には、１０ミリメートル間隔のマス目を形成する深さ１．０ミリメートルのＶ型溝を縦横に形成することで、ウッドデッキ側の根太材との接触力を高めることができる。
【００１５】
前記支柱２は、図４に示すように、外周面にネジ山が形成された、例えば外径が３９ミリメートルの中空筒２１の下端側に、僅かに中空筒２１の外径より直径が大きい球状端部２２を一体で形成したものである。
例えば、該中空筒２１の外径を３９ミリメートルとした場合には、球状端部２２の直径が４０ミリメートルとなるように形成されている。
なお、該支柱２は、プラスチック樹脂によって形成されているので、施工の際に必要となる高さ調整をするには、設置状態のままで上部をのこぎり等で切断することで容易に行うことが可能である。
【００１６】
前記下面基台３は、図５に示すように、前記支柱２の球状端部２２と組み合う小円筒状の凹部収納体３１の外周に、フランジ３２を一体で形成したものである。
該凹部収納体３１及びフランジ３２には、前記球状端部２２を組み合わせた際に凹部が広がるように、スリット３３が連続して形成されている。
また、図示は省略するが、フランジ３２の直径を１００ミリメートルとした場合に、外径が５０ミリメートルである凹部収納体３１の形成側と反対側である下面基台３の下面側には、１０ミリメートル間隔のマス目を形成する深さ１．０ミリメートルのＶ型溝を縦横に形成することで、設置面側との接触力を高めることができる。
【００１７】
前記凹部収納体３１は、中央部に、底面側まで貫通する小孔３１ａを有し、前記スリット３３が該小孔３１ａまで続いて形成されている。
ここで、中央部に小孔３１ａを形成することで、設置箇所に本実施形態の傾斜対応束を置いた状態で、中央部の小孔３１を介して設置箇所の目印を、直接目視によって確認することができるので、設置作業が極めて容易となる。
【００１８】
前記凹部収納体３１の凹部の上端側の直径は、球状端部２２の球の部分の直径より小さく、例えば、球状端部２２の直径が４０ミリメートルの場合は、３８．７ミリメートルに形成されている。
なお、前記凹部収納体３１の凹部の上端側の直径とは、小円筒状の凹部収納体３１の厚みを除く、内径部分の一端から対向する反対端までの長さを示す。
このように、前記凹部収納体３１の凹部の上端側の直径を、球状端部２２の球の部分の直径より小さく形成することで、下面基台３に支柱２を組み合わせた際に、支柱２が抜けにくくなって、保持力を高めることが可能となる。
【００１９】
前記凹部収納体３１の外面に対して、縦方向にスリット３３を閉じるための二つの係止片３４が、下面基台３のスリット３３の形成箇所を挟むように形成されている。
前記係止片３４には、図１に示すように、締め付け用の締付ネジ３５が貫通するネジ孔３４ａが形成されている。
【００２０】
図５中、３２ａはフランジに形成された傾斜地への固定用のネジ孔であり、３６は凹部収納体３１及びフランジ３２と一体となって三角形状に形成された三角リブである。
該三角リブ３６は、スリット３３の形成箇所を除き、９０度の角度毎に３箇所に形成されている。
【００２１】
前記リング４は、図６に示すように、小円筒状であり、同間隔で６箇所に縦リブ４１が形成されている。
該リング４の内周面には、図２に示すように、ネジ溝が形成されている。
使用の際には、図１に示すように、該リング４を上面基台１に押しつけるように設置することで、上面基台１及び支柱２を、がたつき無く強固に固定することが可能となる。
【００２２】
次に、上記の傾斜対応束の使用例について説明する。
【００２３】
設置面である傾斜地の所定箇所に、必要な数の下面基台３を配置する。
この際、設置箇所に本実施形態の傾斜対応束を置いた状態で、中央部の小孔３１を介して設置箇所の目印を、直接目視によって確認することができる。
設置位置の確認後、各傾斜対応束について、スリット３３の形成側と反対側の２箇所のネジ孔３２ａをネジ止めして部分的に固定する。
その後、下面基台３の凹部収納体３１に、支柱２の球状端部２２を嵌め込むことで、下面基台３の位置がずれなくなるので、嵌め込み作業が容易となる。
ここで、支柱２の球状端部２２を凹部収納体３１に嵌め込む際は、スリット３３の部分が一時的に広がるので、容易に組み合わせることが可能となる。
また、組み合わせた状態では、凹部収納体３１の上端側の直径が球状端部２２の直径より僅かに小さいので、支柱２が抜けにくく保持力を高めつつ、傾斜角度の調整が可能となる。
【００２４】
傾斜対応束への支柱２の嵌め込みが完了したら、残りの２箇所のネジ孔３２ａをネジ止めすることで、下面基台３の全体を固定する。
なお、下面基台３と支柱２とは、必要に応じて、接着剤で固定することもできる。
また、係止片３４に形成されたネジ孔３４ａを利用して、ネジで締め付けることで、組み合わせた球状端部２２を強固に固定することが可能となる。
【００２５】
固定後、各支柱２に、先にリング４を嵌め込んだ後で上面基台１を嵌め込む。
その後、各支柱２を垂直状態に調整する。
この際、上面基台１に水平器を置くことで、容易に垂直調整が可能となる。
【００２６】
垂直調整後、各上面基台１の位置を設定した水平レベルに調整する。
水平レベル調整後、リング４で締め付けることで位置を固定する。
この状態で、上面基台１の上面側より突出した支柱２の上端側は、切断することで長さを調整する。
そして、上面基台１は、ネジ孔１１ａへのネジ止めによって、根太材等に固定する
【００２７】
傾斜地においても、支柱２が直立するように下面基台３に組み合わせた状態では、支柱２の球状端部２２の下半分に相当する半球状の部分が、凹部収納体３１の凹部のほぼ全面と接触することで、広い面積で荷重を支持することが可能となり、樹脂製であっても十分な強度を有する。
また、凹部収納体３１の中央に小孔３１ａを設けることで、球状端部２２の最下端部分と開孔部の周縁とが接触するので、荷重をより効率的に受けることが可能となる。
さらに、該小孔３１ａが水抜きとしても作用する。
【符号の説明】
【００２８】
１  上面基台
１１  円形板
１１ａ  ネジ孔
１２  小円筒
１３  縦リブ
２  支柱
２１  中空筒
２２  球状端部
３  下面基台
３１  凹部収納体
３１ａ  小孔
３２  フランジ
３２ａ  ネジ孔
３３  スリット
３４  係止片
３４ａ  ネジ孔
３５  締付ネジ
３６  三角リブ
４  リング
４１  縦リブ
【先行技術文献】
【特許文献】
【００２９】
【特許文献１】特開２００９−６２７５７号公報
【図１】
2017218763.tif 000003
【図２】
2017218763.tif 000004
【図３】
2017218763.tif 000005
【図４】
2017218763.tif 000006
【図５】
2017218763.tif 000007
【図６】
2017218763.tif 000008
【手続補正書】
【提出日】平成28年9月23日(2016.9.23)
【手続補正１】
【補正対象書類名】特許請求の範囲
【補正対象項目名】請求項１
【補正方法】変更
【補正の内容】
【請求項１】
上面基台と、該上面基台と上端側が組み合う支柱と、該支柱の下端側と組み合う下面基台とを有し、
前記支柱の下端側に、球状端部が形成され、
前記下面基台に、前記支柱の球状端部と組み合う凹部収納体が形成されると共に、
該凹部収納体に、前記球状端部を組み合わせた際に凹部が広がる手段を設けたことを特徴とする、傾斜対応束。
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
上面基台と、該上面基台と上端側が組み合う支柱と、該支柱の下端側と組み合う下面基台とを有し、
前記支柱の下端側に、球状端部が形成され、
前記下面基台に、前記支柱の球状端部と組み合う小円筒状の凹部収納体とフランジが形成されると共に、
該凹部収納体には、前記球状端部を組み合わせた際に凹部が広がるスリットが形成されると共に、底面側まで貫通する小孔が中央部に形成され、
前記凹部収納体の凹部の上端側の直径は、球状端部の球の部分の直径より小さく形成されることを特徴とする、傾斜対応束。
【請求項２】
前記下面基台のスリット形成箇所を挟むように、該スリットを閉じるための二つの係止片が、凹部収納体の外面に形成されることを特徴とする、前記請求項１に記載の傾斜対応束。
【請求項３】
前記凹部収納体が樹脂製であることを特徴とする、前記請求項１または２に記載の傾斜対応束。
【手続補正書】
【提出日】平成29年2月11日(2017.2.11)
【手続補正１】
【補正対象書類名】特許請求の範囲
【補正対象項目名】請求項１
【補正方法】変更
【補正の内容】
【請求項１】
上面基台と、該上面基台と上端側が組み合う支柱と、該支柱の下端側と組み合う下面基台とを有し、
前記支柱の下端側に、球状端部が形成され、
前記下面基台に、前記支柱の球状端部と組み合う小円筒状の凹部収納体とフランジが形成されると共に、
該凹部収納体には、前記球状端部を組み合わせた際に凹部が広がるスリットが形成されると共に、底面側まで貫通し、設置箇所の目印を目視によって確認可能な大きさの小孔が中央部に形成され、
前記凹部収納体の凹部の上端側の直径は、球状端部の球の部分の直径より小さく形成されることを特徴とする、傾斜対応束。